(57)【要約】【課題】  この発明は、需要者のそれぞれの用途、好み、掲示される環境等に合わせることができ、かつ事務所等で見る人に和みを与える事の出来る、書込ボードを提供する事を目的としている。 【解決手段】  コンピュータ画面上に、複数のボードデザインを形成記録しておき、各ボードデザインの、それぞれを表示した対客サンプルを、形成の後、需要者に対客サンプルを提示して、需要者に選択された対客サンプルの符号により、コンピュータの画面処理をして、特定のボードデザインを形成し、該ボードデザインを転写紙製造機にデジタル出力して、転写紙に転写膜を形成する工程、転写紙の転写膜によるボードデザインを、基板面に熱転写する工程、該基板を縁加工して、書込ボードに形成する工程の結合からなる、書込ボードの製造方法。  【選択図】     図６
2006007645.tif 000002
【特許請求の範囲】
【請求項１】
コンピュータ画面上に、罫線デザイン、背景デザイン、帯カラー等それぞれ複数を形成し記録する工程、前記罫線デザイン、背景デザイン、帯カラーの、それぞれを表示した対客サンプルを、符号を付して形成する工程の後、需要者に対客サンプルを提示して、選択してもらう工程、需要者に選択された対客サンプルの符号により、コンピュータの画面処理をして、特定のボードデザインを形成する工程、該ボードデザインを転写紙製造機にデジタル出力して、転写紙に転写膜を形成する工程、転写紙の転写膜によるボードデザインを、基板面に熱転写する工程、該基板を縁加工して、書込ボードに形成する工程の結合からなることを特徴とする、書込ボードの製造方法。
【請求項２】
あらかじめ、コンピュータ画面上に、罫線デザイン、背景デザイン、帯カラー等それぞれ複数を形成し記録する工程、を経た後、前記罫線デザイン、背景デザイン、帯カラーのそれぞれを表示した対客サンプルを、符号を付して形成しておき、該対客サンプルを需要者に提示して選択してもらい、客に選択された対客サンプルの符号によりコンピュータの画面処理をして、特定のボードデザインを形成する工程、該ボードデザインを転写紙製造機にデジタル出力して、転写紙に転写膜を形成する工程、転写紙の転写膜によるボードデザインを、基板面に熱転写する工程、該基板を縁加工して書込ボードに形成する工程の結合により製造された書込ボードを、注文者に販売することを特徴とする、書込ボードの販売方法。
【請求項３】
あらかじめ、コンピュータ画面上に、罫線デザイン、背景デザイン、帯カラー等それぞれを複数形成し記録する工程、を経た後、前記罫線デザイン、背景デザイン、帯カラーのそれぞれを表示した対客サンプルを、インターネットにより需要者がアクセス可能に形成しておき、需要者が選択して書込んだ注文書に基づき、背景デザイン、帯カラー等の色見本を発註者に送付して、カラー特定の確認を経た後、注文書に基づいてコンピュータの画面処理をして、特定のボードデザインを形成する工程、該ボードデザインを転写紙製造機にデジタル出力して、転写紙に転写膜を形成する工程、転写紙の転写膜によるボードデザインを、基板面に熱転写する工程、該基板を縁加工して書込ボードに形成する工程の結合により製造された書込ボードを、註文者に送付することを特徴とする、書込ボードの販売方法。
【発明の詳細な説明】
【技術分野】
【０００１】
本発明は、書込ボードの製造方法並びに該製造方法により製造するボートの販売方法に係り、特に多彩な、かつ、需要者の個々の好みによる、任意なデザインの書込ボードを製造し、販売する方法に関する。
【背景技術】
【０００２】
従来、書込ボードとして、例えば行事予定表、行動予定表、月間予定表、時間予定、工事予定表等がある。前記書込ボードは、例えば、金属のホワイトボードに、黒塗料の罫線が形成されており、罫線の中に油性フエルトペン等で、予定を書き込んで消している。
【発明の開示】
【発明が解決しようとする課題】
【０００３】
前記書込ボードは、単純に白１色に黒い罫線が、画一的に形成されているし、例えば事務所の、壁面の広い面積を占めて掲示されているため、殺風景なものである。
この発明は、これらの実情に鑑みて、需要者のそれぞれの用途、好み、掲示される環境等に合わせることができ、かつ事務所等で見る人に和みを与える事の出来る、書込ボードを提供する事を目的としている。
【課題を解決するための手段】
【０００４】
この発明は、前記課題を解決し目的を達成するために、ボードのパーツデザインを多数用意し、需要者にパーツデザインを選択してもらって組合わせて、個性のあるボードデザインを形成して、これをボードに表示するもので、発明の具体的な内容は次の通りである。
【０００５】
(1)  コンピュータ画面上に、罫線デザイン、背景デザイン、帯カラー等のそれぞれを複数形成し記録する工程、前記罫線デザイン、背景デザイン、帯カラーのそれぞれを表示した対客サンプルを、符号を付して形成する工程の後、需要者に対客サンプルを提示して選択してもらう工程、客に選択された対客サンプルの符号により、コンピュータの画面処理をして、特定のボードデザインを形成する工程、該ボードデザインを転写紙製造機に出力して、転写紙に転写膜を形成する工程、転写紙の転写膜によるボードデザインを、基板面に熱転写する工程、該基板を縁加工して書込ボードに形成する工程の結合からなる、書込ボードの製造方法。
【０００６】
(2)  あらかじめ、コンピュータ画面上に、罫線デザイン、背景デザイン、帯カラー等をそれぞれ複数形成し記録する工程、を経た後、前記罫線デザイン、背景デザイン、帯カラーのそれぞれを表示した対客デスプレーを、符号を付して形成しておき、該対客サンプルを需要者に提示して選択してもらい、客に選択された対客サンプルの符号によりコンピュータの画面処理をして、特定のボードデザインを形成する工程、該ボードデザインを転写紙製造機にデジタル出力して、転写紙に転写膜を形成する工程、転写紙の転写膜によるボードデザインを、基板面に熱転写する工程、該基板を縁加工して書込ボードに形成する工程の結合により製造された書込ボードを、販売することを特徴とする、書込ボードの販売方法。      
【０００７】
(3)  あらかじめ、コンピュータ画面上に、複数の罫線デザイン、背景デザイン、帯カラー等それぞれを形成し記録する工程、を経た後、前記罫線デザイン、背景デザイン、帯カラーのそれぞれを表示した対客サンプルを、インターネットにより需要者がアクセス可能に形成しておき、需要者が選択して書込んだ注文書に基づき、配景デザイン、帯カラー等の色見本を発註者に送付して、カラー特定の確認を経た後、注文書に基づいてコンピュータの画面処理をして、特定のボードデザインを形成する工程、該ボードデザインを転写紙製造機に出力して、転写紙に転写膜を形成する工程、転写紙の転写膜によるボードデザインを、基板面に熱転写する工程、該基板を縁加工して書込ボードに形成する工程の結合により製造された書込ボードを、註文者に送付する、書込ボードの販売方法。
【発明の効果】
【０００８】
本発明によると次のような効果がある。
(1)  請求項１に記載された発明の書込ボードは、罫線デザイン、複数の背景デザイン、複数の帯カラー等の複数が予めコンピュータに記録されており、その内容を表示した対客サンプルを需要者に提示し、好みのデザインを選択してもらう。
これをコンピュータ処理をすることによって、需要者個々の選択した特定の罫線デザイン、背景デザイン、帯カラーの組合せにより、特定のボードデザインがコンピュタ画面に形成表示される。    
複数の罫線デザイン、複数の背景デザイン、複数の帯カラーの組合せは、例えば１０００種、２０００種と広がり、需要者は個性のあるボードデザインを選択することができる。
コンピュータのボードデザインを転写紙製造機にデジタル出力すると、転写紙原紙に個性のある前記ボードデザインの転写膜を、容易に形成することができる。この転写紙の転写膜を基板に熱転写すると、基板に、個性のあるボードデザインが、耐久性をもって形成された、書込ボードを製造する事ができる。
【０００９】
(2)  請求項２に記載された発明の、書込ボードの販売方法は、コンピュータに記録されている複数の罫線デザイン、複数の背景デザイン、複数の帯カラー等を表示した対客サンプルとして形成してあり、需要者に、この対客サンプルから好みのデザインを選択してもらって、組合わせて、コンピュータで特定のボードデザインを設定して、これを元にして転写紙を形成し、基に転写して書込ボードを形成することが出来るので、需要者のデザインした需要者の好みに合った、個性のある書込ボードを販売することができる。罫線デザイン、背景デザイン、帯カラー等の複数を増加させれば、その組合せ数は無限に広がり、個性が強調される。
【００１０】
(3)  請求項に記載された発明の、書込ボード販売方法は、インターネットによりアクセスした需要者がボードデザインを選択して、発註した時、その注文書の特定さた背景、帯カラーの実物色見本を発註者に送付して確認してもらうので、コンピュータ画面による色では判らない微妙な色を需要者は確認出来て、納品後の色違い等のトラブルを未然に防ぐことができる。
【発明を実施するための最良の形態】
【００１１】
コンピュータにボードデザインの複数のパーツデザインを記録する。複数のパーツデザインの対客サンプルを作成して、需要者に好みのパーツデザインを選択してもらう。選択された特定のパーツデザインを組合わせて、製造すべき特定のボードデザインを形成する。コンピュータから転写紙製造機にボードデザインのデータを、デジタル入力して転写紙を製造する。転写紙のボードデザインを基板に転写して、書込ボードを製造する。
【実施例１】
【００１２】
本願発明の実施の形態例を、図面を参照して説明する。図１は本発明に係る書込ボードの正面図、図２は書込ボードの一部横断平面図である。
書込ボード(1)の、基板(2)のサイズは、例えば大型で幅９０ｃｍ、高さ６０ｃｍ。小型で幅６０ｃｍ、高さ４５ｃｍ等に設定されるが、目的物により任意に設定することができる。
【００１３】
図において、書込ボード(1)の基板(2)は、例えば鋼板で、合板などの芯板(2a)に被せた状態で、４囲に縁材(3)が被着されている。
図における符号(4)は転写膜層で、転写膜層(4)の正面においてボードデザイン(5)が形成されている。ボードデザイン(5)には、背景デザイン(5a)、帯カラー(5b)、罫線デザイン(5c)が組合わされている。
【００１４】
背景デザイン(5a)は、基板(2)をカバーする色模様、風景、色無地（濃淡）などを使用することができる。帯カラー(5b)は、横列、縦列１色の他、交互に色違い（濃淡を含む）とすることができる。罫線デザイン(5c)は、色線表示の他、背景の色を線状に生かして、淡色の方形を罫線幅だけ間隔を開けて並列して、形成することができる。
【００１５】
図３はコンピュータ画面(Ｃ)の、ボードデザイン(5)を表示する基礎パターン(6)(7)(8)(9)を示している。図４は基礎パターン(6)に対する罫線デザイン(5c)の１っを示す。この罫線デザイン(5c)は時間割予定表で、８時から１９時までが設定されている。これは、１０時から始まる会社用、あるいはパートで２４時間稼動の会社用など、幾つも任意に設定される。  
【００１６】
図５は、基礎パターン(7)に対する罫線デザイン(5c)の１っを示す。この罫線デザイン(5c)は、月間予定表で１日から月末までが設定されている。
罫線デザイン(5c)は、例えば月間予定表、週間予定表、時間割予定表、個人週間予定表など、和文字と欧文文字別に設定される。
【００１７】
背景デザイン(5a)は、例えば、無地、模様、ストライプ、布地、の５色濃淡揃い。帯カラー(5b)は、例えばイエロー、レッド、オレンジ、グリーン、ブルー、ピンク、バイオレット、等の濃淡揃い等、多様に帯カラーのパーツデザインが揃えられる。
【００１８】
これら、背景デザイン(5a)、帯カラー(5b)、罫線デザイン(5c)は、それぞれコンピュータに記録されており、コンピュータ処理によって、前記基礎パターン(6)(7)(8)(9)に対して、組合せ処理をすることができる。
【００１９】
また、背景デザイン(5a)、帯カラー(5b)、罫線デザイン(5c)は、それぞれ番号が付されていて、インターネットによる読み出しにより、番号を指定して、註文書に入力することができる。
【００２０】
背景デザイン(5a)、帯カラー(5b)、罫線デザイン(5c)は、現物同様の対客サンプルを作成して、需要者に提示して選択してもらう。
この場合、透明板に罫線デザイン(5c)を表示しておき、この下に背景デザイン(5a)、帯カラー(5b)を当てて、完成時のボードデザイン(5)が判るように需要者に示す。
【００２１】
需要者の選定が終了した時、コンピュータ画面(Ｃ)に、需要者の選定に係る基礎パターン(6)(7)(8)(9)を呼出し、罫線デザイン(5c)を呼出してあてはめる。次に、選定に係る背景デザイン(5a)を呼出してあてはめる。次に選定に係る帯カラー(5b)を呼出して、あてはめる。
【００２２】
これらの工程によって、需要者の指定した特定のボードデザイン(5)が完成する。次に、図示しない転写紙製造機のコントローラに対して、コンピュータのボードデザイン(5)画像データを、デジタル出力する。次に図示しない転写紙製造機を稼動することによって、転写紙の原紙にボードデザイン(5)の転写膜(4)が、印刷により形成される。
【００２３】
これによって製造された転写紙を、転写膜(4)を下にして基板(2)の上に重ねて、加熱プレスすることにより、転写膜(4)が基板(2)に接着して、ボードデザイン(5)が基板(2)表面に形成される。転写膜(4)は、例えば、原紙に樹脂コーテイング層を形成しておき、その表面にボードデザイン(5)を形成し、樹脂コーテイング層共々基盤(2)に接着させる事も出来る。その場合、樹脂コーテイング層はボードデザイン(5)の保護層になる。
【００２４】
基板(2)は、サイズ合わせにより端縁を整え、折曲げプレスやカッテイングをして、図２のような芯板(2a)の上に被着させる。しかる後、４周を囲んで縁材(3)を被着すると、書込ボード(1)が完成する。縁材(3)の形状は任意である。
【００２５】
このように、ボードデザイン(5)は、予めコンピュータに設定記録しておき、書込ボード(1)の販売にあたっては、現物と同じ対客サンプルを需要者に提示し、需要者に好みのパーツデザインを選択してもらい、ボードデザイン(5)を選定してもらうので、需要者は使用目的、使用場所などに適したボードデザイン(5)を、特別註文をする事が出来る。
【００２６】
背景デザイン(5a)、帯カラー(5b)、罫線デザイン(5c) は、それぞれ複数の設定があるため、これらを組合わせると、数千パターンにまでなり、需要者それぞれが、個性のある、他に類のない、ボードデザイン(5)の書込ボード(1)を、容易に入手する事ができる。
【実施例２】
【００２７】
図６は、インターネットによる販売方法の系統図である。売り主コンピュータ(Ａ)には、前記の基礎パターン(6)(7)(8)(9)、複数の背景デザイン(5a)、複数の帯カラー(5b)、複数の罫線(5c)、並びに、図７に１例を示す注文書(10)が、他のコンピュータ(Ｂ)からアクセス可能に記録されている。
【００２８】
需要者は、自己のコンピュータ(Ｂ)からアクセスして、好みのボードデザイン(5)を選定する。しかる後、注文書(10)に必要事項を書込入力して発註する。
注文書(10)は、図７に例示するように、基礎パターン(6)(7)(8)(9)、複数の背景デザイン(5a)、複数の帯カラー(5b)、複数の罫線デザイン(5c)の、それぞれの番号が表示されており、選定した番号をクリックし、決定をクリッリすると、好みのボードデザイン(5)を特定することができる。クリックした番号を取消したい時は「取消」をクリックしてやり直すことができる。
【００２９】
ボードデザイン(5)を特定し終り「確認」をクリックすると、販売価格と特定されたボードデザイン(5)が表示される。全体を見て修正したい時は、「訂正」をクリックしてやり直す。満足したときは「確定」をクリックする。
【００３０】
住所氏名などを書込み、「発註」をクリックすると、売主コンピュータ(Ａ)において注文書として処理される。
この注文書として処理されたものについて、色見本を発註者に送付する。
【００３１】
これは、コンピュータで見る色合いと、実際の色合いとでは、かなり差があるため、クレームがつくことがある。しかし特注品であるので、転用販売がし難く、お互いに不利益になるので、念押しの確認のために、複数の色見本を送付して、確認するものである。
【００３２】
このインターネットによる販売は、色見本の送付などに手間がかかるが、半面、需要者は販売店等に行かなくても、あらかじめ自分で、組合わせて見ることができ、会社などでは、関係者数人で、コンピュータ画面で検討をすることができる利点があ。また売主も、買手が自由に検討した上で注文してくれるので、説明などの手間がかからない利点がある。
【産業上の利用可能性】
【００３３】
この発明は、単調な書込予定表をカラフルにすることができるので、事務所等単調な空間に、和やかな雰囲気をもたらすことができる。
また予定表以外のボードに利用することができる。
【図面の簡単な説明】
【００３４】
【図１】本発明に係る書込ボードの正面図である。
【図２】本発明に係る書込ボードの横断平面図である。
【図３】本発明に係る書込ボード製造用の基礎パターンコンピュータ画面である。
【図４】本発明に係る書込ボードの罫線デザインの１種を示す正面図である。
【図５】本発明に係る書込ボードの罫線デザインの１種を示す正面図である。
【図６】本願発明に係る書込ボード販売システムの系統図である。
【図７】本願発明に係る書込ボード販売システムの注文書である。
【符号の説明】
【００３５】
(1)  書込ボード
(2)  基板
(2a)  芯体
(3)  縁材
(4)  転写膜
(5)  ボードデザイン
(5a)背景デザイン
(5b)帯カラー
(5c)罫線デザイン
(6)(7)(8)(9)基礎パターン
(10)注文書
【図１】
2006007645.tif 000003
【図２】
2006007645.tif 000004
【図３】
2006007645.tif 000005
【図４】
2006007645.tif 000006
【図５】
2006007645.tif 000007
【図６】
2006007645.tif 000008
【図７】
2006007645.tif 000009